(57)【特許請求の範囲】
【請求項１】
長さ方向の一側が内容器を出し入れする開口部となりこの開口部に外容器側ねじ部が形成された外容器と、
長さ方向の一側の口部に内容器側ねじ部を有する有底筒状体からなり前記外容器内に開口部を介して着脱可能に収容される内容器と、
前記外容器側ねじ部に螺合する外側ねじ部と前記内容器側ねじ部に螺合する内側ねじ部を有する肩カバーに前記内容器に充填された製品を吐出する吐出具が一体的に設けられた吐出具付きキャップ体とを備え、
前記吐出具付きキャップ体の肩カバーの内側ねじ部に前記内容器側ねじ部を螺合し、前記外容器内に内容器を押込みつつ前記肩カバーの外側ねじ部を前記外容器側ねじ部に螺合することにより、前記内容器を外容器内に取付けると共に前記外容器と内容器を一緒に施蓋する構成とし、
前記外容器の内周側と内容器の外周側には、前記内容器を外容器内の途中まで挿入する途中位置までは両者の相対回転を規制し、さらに前記内容器を外容器内に押込んだ押込み位置に配置したときには両者の相対回転を許す係合部をそれぞれ設ける構成としてなる詰替え式容器。
【請求項２】
長さ方向の一側が内容器を出し入れする開口部となりこの開口部に外容器側ねじ部が形成された外容器と、
長さ方向の一側の口部に内容器側ねじ部を有する有底筒状体からなり前記外容器内に開口部を介して着脱可能に収容される内容器と、
前記外容器側ねじ部に螺合する外側ねじ部と前記内容器側ねじ部に螺合する内側ねじ部を有する肩カバーに前記内容器に充填された製品を吐出する吐出具が一体的に設けられた吐出具付きキャップ体とを備え、
前記吐出具付きキャップ体の肩カバーの内側ねじ部に前記内容器側ねじ部を螺合し、前記外容器内に内容器を押込みつつ前記肩カバーの外側ねじ部を前記外容器側ねじ部に螺合することにより、前記内容器を外容器内に取付けると共に前記外容器と内容器を一緒に施蓋する構成とし、
前記外容器には、前記内容器を外容器内の途中まで挿入した途中位置とこの途中位置からさらに内容器を外容器内に押込んだ押込み位置とを与える弾性体を設け、
前記外容器の内周側と内容器の外周側には、前記内容器が前記途中位置にあるときには両者の相対回転を規制し、前記内容器を押込んで前記押込み位置に配置したときには両者の相対回転を許す係合部をそれぞれ設ける構成としてなる詰替え式容器。
【発明の詳細な説明】
【０００１】
【発明の属する技術分野】
本発明は、例えばローション、乳液、美容液、入浴剤等の液体、粉体からなる製品が充填された内容器を外容器に詰替えて使用するようになった詰替え式容器に関する。
【０００２】
【従来の技術】
一般に、ローション、乳液、美容液等の化粧料、入浴剤等を収容する容器には、高級感を出すために美観を与える模様や立体的な模様が形成された高価なものがある。しかし、容器を高価なものにしても、内部の化粧料等を使い切ったときには、この容器は廃棄されてしまう。このため、使用者は、また高価な容器を含めて商品を購入しなくてはならないから、使用者の経済的な負担が大きくなってしまう。
【０００３】
このため、昨今では、内部の化粧料のみを詰替え、高価な容器は繰返して使用するようにしている。これに用いられる詰替え式容器は、美観を与える模様や立体的な模様が形成された化粧カバーとなる有底筒状の外容器と、該外容器内に開口を介して着脱可能に収容され、内部に化粧料が充填された内容器と、該内容器を外容器内に固定するために外容器の開口を施蓋するように取付けられる肩カバーと、前記内容器の開口に別体の部材として取付けられ、該内容器内の化粧料を吐出する吐出具とによって大略構成されている。
【０００４】
また、吐出具としては、ディスペンサ、ノズル等があり、ディスペンサの場合には、肩カバーから上方に突出した頭部を押動操作することにより、このときのポンプ作用により内容器内の化粧料を吐出口から吐出（噴出）するものである。また、ノズルの場合には、一体成形されたヒンジ支持式の蓋を開いて外容器を傾倒することにより吐出孔から内容器内の製品を吐出するものである。
【０００５】
次に、内容器内の化粧料を使い切り、空の内容器を化粧料が充填された内容器に詰替える場合について説明する。この場合には、内容器から吐出具を取外し、外容器から肩カバーを取外して空の内容器を外容器から取出し、これに替えて化粧料が充填された内容器を外容器内に挿入する。そして、肩カバーを外容器に取付けて該外容器を施蓋し、内容器に吐出具を取付けることにより詰替え式容器の内容器を詰替えることができる。これにより、高価な外容器は繰返し使用することができ、使用者の経済的な負担を軽減することができる。
【０００６】
【発明が解決しようとする課題】
ところで、上述した従来技術による詰替え式容器は、空の内容器を取出すときに内容器から吐出具を取外し、また外容器から肩カバーを取外さなくてはならない。また、化粧料が充填された内容器を収容するときにも、肩カバーを外容器に取付け、内容器に吐出具を取付けなくてはならない。このため、使用者は、吐出具と肩カバーの２つの部材を取付けたり、取外したりしなくてはならないから、詰替え作業に手間を要してしまうという問題がある。
【０００７】
本発明は上述した従来技術の問題に鑑みなされたもので、本発明の目的は、内容器を詰替えるときの取付け、取外し作業を簡略化することにより、詰替え作業を容易に行なうことができるようにした詰替え式容器を提供することにある。
【０００８】
【課題を解決するための手段】
上述した課題を解決するために、請求項１の発明による詰替え式容器は、長さ方向の一側が内容器を出し入れする開口部となりこの開口部に外容器側ねじ部が形成された外容器と、長さ方向の一側の口部に内容器側ねじ部を有する有底筒状体からなり前記外容器内に開口部を介して着脱可能に収容される内容器と、前記外容器側ねじ部に螺合する外側ねじ部と前記内容器側ねじ部に螺合する内側ねじ部を有する肩カバーに前記内容器に充填された製品を吐出する吐出具が一体的に設けられた吐出具付きキャップ体とを備え、前記吐出具付きキャップ体の肩カバーの内側ねじ部に前記内容器側ねじ部を螺合し、前記外容器内に内容器を押込みつつ前記肩カバーの外側ねじ部を前記外容器側ねじ部に螺合することにより、前記内容器を外容器内に取付けると共に前記外容器と内容器を一緒に施蓋する構成とし、前記外容器の内周側と内容器の外周側には、前記内容器を外容器内の途中まで挿入する途中位置までは両者の相対回転を規制し、さらに前記内容器を外容器内に押込んだ押込み位置に配置したときには両者の相対回転を許す係合部をそれぞれ設ける構成としたことにある。
【０００９】
このように構成したことにより、肩カバーの内側ねじ部に内容器の内容器側ねじ部を螺合して内容器を吐出具付きキャップ体に取付けたら、内容器が取付けられた吐出具付きキャップ体を、外容器内に内容器を押込みつつ肩カバーの外側ねじ部を外容器側ねじ部に螺合する。これにより、外容器内に内容器を簡単に取付けることができ、外容器と内容器を一緒に施蓋することができる。しかも、肩カバーと一緒に吐出具を内容器に取付けることができる。一方、逆の順序で作業を行なうことにより外容器から内容器を簡単に取外すこともできる。
【００１１】
しかも、上記構成により、外容器内に内容器を挿入すると、内容器を外容器内の途中まで挿入した途中位置にあるときに、外容器と内容器に設けられた係合部は、互いに係合して外容器と内容器との相対回転を規制するから、外容器を把持した状態で内容器側ねじ部を肩カバーの内側ねじ部に螺合することができる。また、この途中位置からさらに内容器を外容器内に押込んで押込み位置に配置すると、各係合部は互いに離間して外容器と内容器との相対回転を許すから、肩カバーと一緒に内容器を回転させることができ、外容器側ねじ部に肩カバーの外側ねじ部を螺合することができる。
【００１２】
請求項２の発明は、長さ方向の一側が内容器を出し入れする開口部となりこの開口部に外容器側ねじ部が形成された外容器と、長さ方向の一側の口部に内容器側ねじ部を有する有底筒状体からなり前記外容器内に開口部を介して着脱可能に収容される内容器と、前記外容器側ねじ部に螺合する外側ねじ部と前記内容器側ねじ部に螺合する内側ねじ部を有する肩カバーに前記内容器に充填された製品を吐出する吐出具が一体的に設けられた吐出具付きキャップ体とを備え、前記吐出具付きキャップ体の肩カバーの内側ねじ部に前記内容器側ねじ部を螺合し、前記外容器内に内容器を押込みつつ前記肩カバーの外側ねじ部を前記外容器側ねじ部に螺合することにより、前記内容器を外容器内に取付けると共に前記外容器と内容器を一緒に施蓋する構成とし、前記外容器には、前記内容器を外容器内の途中まで挿入した途中位置とこの途中位置からさらに内容器を外容器内に押込んだ押込み位置とを与える弾性体を設け、前記外容器の内周側と内容器の外周側には、前記内容器が前記途中位置にあるときには両者の相対回転を規制し、前記内容器を押込んで前記押込み位置に配置したときには両者の相対回転を許す係合部をそれぞれ設ける構成としたことにある。
【００１３】
このように構成したことにより、外容器内に内容器を挿入すると、弾性体は内容器を外容器内の途中まで挿入した途中位置に位置決めする。このときに、外容器と内容器に設けられた係合部は、互いに係合して外容器と内容器との相対回転を規制するから、外容器を把持した状態で内容器側ねじ部を肩カバーの内側ねじ部に螺合することができる。また、弾性体に抗して途中位置からさらに内容器を外容器内に押込んで押込み位置に配置すると、各係合部は互いに離間して外容器と内容器との相対回転を許すから、肩カバーと一緒に内容器を回転させることができ、外容器側ねじ部に肩カバーの外側ねじ部を螺合することができる。
【００１４】
【発明の実施の形態】
以下、本発明の実施の形態による詰替え式容器を内容器内に化粧料が充填されている場合を例に挙げ、添付図面に従って詳細に説明する。
【００１５】
まず、図１ないし図５は本発明の第１の実施の形態を示している。１は本実施の形態による詰替え式容器で、該詰替え式容器１は、後述の外容器２、内容器６およびディスペンサ付きキャップ体８によって構成されている。
【００１６】
２は詰替え式容器１の外殻をなす外容器で、該外容器２は、後述の内容器６を出し入れ可能に収容するもので、後述する化粧カバー３と底蓋５とにより上向きに開口する有底筒状に形成されている。
【００１７】
３は外容器２の化粧カバーで、該化粧カバー３は、図２に示す如く、例えば樹脂材料を用いて上，下方向に延びる円筒状に形成されている。また、化粧カバー３の外周面には、例えば美観を与える模様や立体的な模様（図示せず）が形成されている。さらに、化粧カバー３の上端部は内容器６を出し入れするための開口部３Ａとなり、該開口部３Ａの外周面には、後述する肩カバー９の外側雌ねじ部９Ｅに螺合する複数条の外容器側雄ねじ部３Ｂ，３Ｂ，…が形成されている。一方、化粧カバー３は、上，下方向のほぼ中間部から上側が縮径して厚肉部３Ｃとなり、該厚肉部３Ｃの内径寸法は、後述する内容器６の外径寸法よりも僅かに大きな寸法に設定されている。
【００１８】
４は化粧カバー３の厚肉部３Ｃに設けられた係合部としての係合凹溝で、該係合凹溝４は、図５にも示すように、上，下方向に延びて形成されている。そして、係合凹溝４は、後述する内容器６側の係合凸部７と協働して外容器２と内容器６との相対回転を規制するものである。
【００１９】
５は化粧カバー３の下端部に設けられた底蓋で、該底蓋５は、弾性を有するゴム材料、樹脂材料を用いて円皿状に形成され、その外周側が化粧カバー３の下端部に嵌合して取付けられている。また、底蓋５の中央部には、後述の内容器６を下側から弾性的に支持する弾性体をなす球面状支持部５Ａが設けられている。
【００２０】
ここで、球面状支持部５Ａは、荷重が作用していない自由状態では、図５に示すように上向きに突出する球面状をなしている。また、化粧料が充填された内容器６が外容器２内に挿入されると、球面状支持部５Ａは、図３に示すように上向きに突出する球面形状を維持した状態で、その上部側を内容器６の底部６Ｂに当接させることにより、該内容器６を外容器２内の途中まで挿入した途中位置（図３に示す位置）に配置する。そして、この途中位置では、後述する内容器６の内容器側雄ねじ部６Ｅを肩カバー９の内側雌ねじ部９Ｆに螺合することができる。
【００２１】
一方、内容器６を底蓋５に向け外容器２内にさらに押込んだときには、球面状支持部５Ａは、図４に示すように弾性変形して内容器６の移動を許し、内容器６を押込み位置（図４に示す位置）に配置させる。そして、この押込み位置では、後述する肩カバー９の外側雌ねじ部９Ｅを化粧カバー３の外容器側雄ねじ部３Ｂに螺合することができる。
【００２２】
さらに、内容器６を外容器２内に完全に押込んだ状態では、球面状支持部５Ａは、図２に示すように、内容器６の底部６Ｂを包むように該底部６Ｂに沿って下向きに突出する球面状をなしている。
【００２３】
６は外容器２内に開口を介して出し入れ可能に収容される内容器で、該内容器６は、例えばローション、乳液、美容液等の化粧料を収容している。ここで、内容器６は、円筒状の筒部６Ａと、該筒部６Ａの下側を覆う球面状の底部６Ｂと、前記筒部６Ａの上部から径方向の内向きに延びた肩部６Ｃと、該肩部６Ｃの内周側から上向きに延びた小径筒状の口部６Ｄとから有底筒状体として形成されている。また、口部６Ｄの外周面には内容器側雄ねじ部６Ｅが形成されている。
【００２４】
７は内容器６の外周面に設けられた係合部としての係合凸部で、該係合凸部７は、筒部６Ａの下端側外周に位置し径方向の外向きに突出している。そして、係合凸部７は、前述した外容器２側の係合凹溝４と係合することにより、外容器２と内容器６との相対回転を規制するものである。
【００２５】
ここで、係合凹溝４と係合凸部７は、外容器２内に内容器６を挿入するときに互いに係合させることにより、内容器６が途中位置にあるときには、外容器２と内容器６との相対回転を規制する。また、内容器６を押込み位置まで押込んだときには、係合凹溝４から係合凸部７が外れるから、外容器２と内容器６との相対回転を許すことができる。
【００２６】
８は外容器２の上側に設けられた吐出具付きキャップ体としてのディスペンサ付きキャップ体で、該キャップ体８は、後述の肩カバー９とディスペンサ１０とによって大略構成されている。
【００２７】
９は外容器２の開口を覆うように設けられた肩カバーで、該肩カバー９は、化粧カバー３よりも僅かに大きな径寸法をもって形成された下側筒部９Ａと、該下側筒部９Ａの上部から傘状に縮径した蓋板部９Ｂと、該蓋板部９Ｂの内周端から内容器６の口部６Ｄよりも僅かに大きな径寸法をもって上向きに延びた上側筒部９Ｃと、該上側筒部９Ｃから上向きに延びたガイド筒部９Ｄとによって大略構成されている。また、下側筒部９Ａの内周側には、化粧カバー３の外容器側雄ねじ部３Ｂに螺合する複数条の外側雌ねじ部９Ｅ，９Ｅ，…が形成されている。さらに、上側筒部９Ｃの内周側には、内容器６の内容器側雄ねじ部６Ｅに螺合する内側雌ねじ部９Ｆが形成されている。
【００２８】
１０は肩カバー９に一体的に組付けられた吐出具としてのディスペンサで、該ディスペンサ１０は、上側の鍔部１０Ａが後述のパッキン１１によって肩カバー９の上側筒部９Ｃ内に取付けられている。そして、ディスペンサ１０は、ガイド筒部９Ｄにガイドされつつ上，下方向に移動可能に突出した頭部１０Ｂを押込むように押動することにより、内蔵されたポンプ（図示せず）のポンプ作用により内容器６内に延びる吸込管１０Ｃから吸込んだ化粧料を吐出口１０Ｄから吐出するものである。
【００２９】
１１は肩カバー９の上側筒部９Ｃ内に設けられた円環状のパッキンで、該パッキン１１は、内容器６の口部６Ｄとディスペンサ１０との間を気液密に保持するものである。また、パッキン１１は、肩カバー９のガイド筒部９Ｄとの間にディスペンサ１０の鍔部１０Ａを挟んだ状態で上側筒部９Ｃ内に嵌着されることにより、肩カバー９にディスペンサ１０を一体的に組付ける組付け具をなしている。
【００３０】
本実施の形態による詰替え式容器１は上述の如き構成を有するもので、次に、空の内容器６に替えて化粧料が充填された内容器６を収容するときの手順について説明する。
【００３１】
まず、空になった内容器６を取外したら、図３に示すように、化粧料が充填された内容器６を底部６Ｂ側から外容器２の化粧カバー３内に挿入する。このときには、ディスペンサ１０の吸込管１０Ｃを内容器６の口部６Ｄから挿入し、かつ係合凸部７を化粧カバー３側の係合凹溝４に係合させる。そして、ディスペンサ付きキャップ体８を内容器６の上側に配置する。ここで、内容器６を外容器２に挿入したときには、該内容器６は、底蓋５の球面状支持部５Ａによって途中位置に自動的に配置されるから、内容器６側の係合凸部７と化粧カバー３側の係合凹溝４とが係合し、外容器２と内容器６との相対回転を規制する。従って、外容器２の化粧カバー３とディスペンサ付きキャップ体８の肩カバー９を把持し、該肩カバー９を回転させることにより、内容器６の内容器側雄ねじ部６Ｅと肩カバー９の内側雌ねじ部９Ｆとを螺合させることができ、キャップ体８に内容器６を取付けることができる。
【００３２】
次に、ディスペンサ付きキャップ体８に内容器６を取付けたら、キャップ体８を下向きに押動し、図４に示す如く、肩カバー９の外側雌ねじ部９Ｅが化粧カバー３の外容器側雄ねじ部３Ｂに螺合可能となる押込み位置まで内容器６を外容器２内に押込む。この押込み位置では係合凸部７と係合凹溝４とが離間し、外容器２と内容器６との相対回転が許されるから、外容器２に対してディスペンサ付きキャップ体８を回転させることにより、図２に示す如く、化粧カバー３の外容器側雄ねじ部３Ｂと肩カバー９の外側雌ねじ部９Ｅとを螺合させることができ、キャップ体８を外容器２に取付けることができる。このときには、ディスペンサ付きキャップ体８によって外容器２と内容器６を一緒に施蓋することができる。
【００３３】
一方、空の内容器６を取外す場合には、前述した手順と逆の手順で作業を行なうことにより、使用済みの内容器６を外容器２から取外すことができる。
【００３４】
以上のように、本実施の形態によれば、外容器２を構成する化粧カバー３の開口部３Ａ外周に外容器側雄ねじ部３Ｂを設け、内容器６の口部６Ｄ外周に内容器側雄ねじ部６Ｅを設け、肩カバー９とディスペンサ１０とが一体的に設けられたディスペンサ付きキャップ体８には、その肩カバー９に外容器側雄ねじ部３Ｂが螺合する外側雌ねじ部９Ｅと内容器側雄ねじ部６Ｅが螺合する内側雌ねじ部９Ｆとを設ける構成としている。
【００３５】
従って、内容器６を詰替えるときには、内容器６の内容器側雄ねじ部６Ｅを肩カバー９の内側雌ねじ部９Ｆに螺合し、外容器２の外容器側雄ねじ部３Ｂを肩カバー９の外側雌ねじ部９Ｅに螺合することにより、外容器２、内容器６に対してディスペンサ付きキャップ体８を簡単に取付けることができ、また取外すこともできる。この結果、使用者は、ディスペンサ付きキャップ体８の１つの部材だけを取付けたり、取外したりするだけで、詰替え作業を行なうことができ、作業性を向上することができる。
【００３６】
また、ディスペンサ付きキャップ体８は肩カバー９とディスペンサ１０とを一体的に設けているから、外容器２、内容器６に対し肩カバー９を着脱したときには、この肩カバー９と一緒にディスペンサ１０も着脱することができ、作業性をより一層向上することができる。
【００３７】
また、外容器２と内容器６には、内容器６にディスペンサ付きキャップ体８を螺合する途中位置では、外容器２と内容器６との相対回転を規制し、外容器２にキャップ体８を螺合する押込み位置では、外容器２と内容器６との相対回転を許す係合凹溝４と係合凸部７とを設けているから、外容器２とディスペンサ付きキャップ体８とを把持した状態で、内容器６とキャップ体８、外容器２とキャップ体８の両方を螺合させたり、緩めたりすることができ、詰替え作業をより一層簡単に行なうことができる。
【００３８】
さらに、外容器２の底蓋５には、内容器６を途中位置に支持する球面状支持部５Ａを設けているから、外容器２内に内容器６を挿入しただけで該内容器６を途中位置に自動的に位置決めすることができ、取扱いを簡単にすることができる。
【００３９】
次に、図６は本発明の第２の実施の形態を示している。本実施の形態の特徴は、外容器側に係合凸条を設け内容器側に係合凹溝を設けると共に、吐出具として蓋を開き外容器を傾倒することにより内容器内の製品を吐出するノズルを適用し、肩カバーを化粧カバーの内周側に螺合したことにある。なお、本実施の形態では、前述した第１の実施の形態と同一の構成要素には同一の符号を付し、その説明を省略するものとする。
【００４０】
２１は本実施の形態による詰替え式容器で、該詰替え式容器２１は、第１の実施の形態による詰替え式容器１とほぼ同様に、後述の外容器２２、内容器２５およびノズル付きキャップ体２７によって構成されている。
【００４１】
２２は詰替え式容器２１の外容器、２３は該外容器２２の化粧カバーで、該化粧カバー２３は、例えば樹脂材料を用いて上，下方向に延びる円筒状に形成され、その上端部は開口部２３Ａとなり、該開口部２３Ａの内周面には内周には複数条の外容器側雌ねじ部２３Ｂ，２３Ｂ，…が形成されている。また、化粧カバー２３の内周側には、上，下方向のほぼ中間部から上側に位置して上，下方向に延びる係合部をなす係合凸条２４が形成されている。
【００４２】
２５は外容器２２内に出し入れ可能に収容される内容器で、該内容器２５は、筒部２５Ａ、底部２５Ｂ、肩部２５Ｃ、口部２５Ｄおよび口部２５Ｄ外周の内容器側雄ねじ部２５Ｅによって形成されている。また、筒部２５Ａの下端側は、厚肉部２５Ｆとなり、該厚肉部２５Ｆの外径寸法は化粧カバー２３の内径寸法よりも僅かに小さな寸法に設定されている。
【００４３】
２６は内容器２５の厚肉部２５Ｆに設けられた係合部をなす係合凹溝で、該係合凹溝２６は、外容器２２側の係合凸条２４に係合することにより、外容器２２と内容器２５との相対回転を規制するものである。
【００４４】
２７は外容器２２の上側に設けられたノズル付きキャップ体で、該キャップ体２７は、化粧カバー２３内に挿入される筒部２８Ａと該筒部２８Ａの上部を縮径した蓋板部２８Ｂと前記筒部２８Ａの外周側に形成された複数条の外側雄ねじ部２８Ｃとからなる肩カバー２８と、該肩カバー２８の蓋板部２８Ｂ中央に設けられた吐出具をなすノズル２９とによって構成されている。
【００４５】
ここで、ノズル２９は、肩カバー２８の蓋板部２８Ｂから上側に突出した有蓋筒状の筒部２９Ａと、該筒部２９Ａの蓋部中央に設けられ、内容器２５内に連通する吐出孔２９Ｂと、該吐出孔２９Ｂを開閉する蓋２９Ｃと、該蓋２９Ｃを回動可能に支持するヒンジ式支持部２９Ｄとによって大略構成され、前記筒部２９Ａの内周側には、内容器２５の内容器側雄ねじ部２５Ｅに螺合する内側雌ねじ部（図示せず）が形成されている。これにより、ノズル２９は、蓋２９Ｃを開いて内容器２５に連通する吐出孔２９Ｂを露出させ、この状態で外容器２２を傾倒することにより、吐出孔２９Ｂから内容器２５内の化粧料を流出させるものである。そして、ノズル付きキャップ体２７を構成する肩カバー２８、ノズル２９は、例えば樹脂材料を用いて一体成形されている。
【００４６】
かくして、このように構成された本実施の形態によれば、前述した第１の実施の形態とほぼ同様に、内容器２５を外容器２２内に挿入し、該内容器２５の内容器側雄ねじ部２５Ｅにノズル付きキャップ体２７を構成するノズル２９の内側雌ねじ部を螺合する。次に、肩カバー２８の外側雄ねじ部２８Ｃを化粧カバー２３の外容器側雌ねじ部２３Ｂに螺合することにより、外容器２２内に内容器２５を固定することができ、また外容器２２と内容器２５を一緒に施蓋することができる。
【００４７】
そして、ノズル２９の蓋２９Ｃを開いて吐出孔２９Ｂを露出させ、この状態で外容器２２を傾倒することにより、前記吐出孔２９Ｂから内容器２５内の化粧料を流出することができる。
【００４８】
なお、各実施の形態では、弾性体として弾性を有するゴム材料、樹脂材料からなる底蓋５の中央部に設けられた球面状支持部５Ａを例に挙げて説明したが、本発明はこれに限らず、例えば図７に示す変形例のように、底蓋３１の底部に弾性を有する板ばね部３２を設け、該板ばね部３２を内容器６，２５に当接させる構成としてもよい。
【００４９】
また、各実施の形態では、上，下方向に長尺な詰替え式容器１，２１を例に挙げて説明したが、本発明はこれに限らず、例えば上，下方向に短尺で開口が広く形成されたクリーム等に用いられる容器に適用してもよい。
【００５０】
また、各実施の形態では製品としてローション、乳液、美容液等の液体状の化粧料を例に挙げて説明したが、これに替えて、例えば粉体状、顆粒状の化粧料、入浴剤、食品等の他の製品を収容した内容器を詰替えるのに適用してもよい。
【００５１】
【発明の効果】
以上詳述した通り、請求項１の発明によれば、詰替え式容器は、開口部に外容器側ねじ部が形成された外容器と、口部に内容器側ねじ部を有する有底筒状の内容器と、前記外容器側ねじ部に螺合する外側ねじ部と前記内容器側ねじ部に螺合する内側ねじ部を有する肩カバーに内容器内の製品を吐出する吐出具が一体的に設けられた吐出具付きキャップ体とによって構成し、前記外容器の内周側と内容器の外周側には、前記内容器を外容器内の途中まで挿入する途中位置までは両者の相対回転を規制し、さらに前記内容器を外容器内に押込んだ押込み位置に配置したときには両者の相対回転を許す係合部をそれぞれ設ける構成としている。従って、肩カバーの内側ねじ部に内容器の内容器側ねじ部を螺合して内容器を吐出具付きキャップ体に取付けたら、内容器が取付けられた吐出具付きキャップ体を、外容器内に内容器を押込みつつ肩カバーの外側ねじ部を外容器側ねじ部に螺合する。これにより、外容器内に内容器を簡単に取付けることができると共に外容器と内容器を一緒に施蓋することができる。また、肩カバーと一緒に吐出具を内容器に取付けることができる。一方、逆の順序で作業を行なうことにより外容器から内容器を簡単に取外すこともできる。この結果、使用者は、吐出具付きキャップ体の１つの部材だけを取付けたり、取外したりするだけで、内容器を外容器に詰替えることができ、作業性を向上することができる。
【００５２】
しかも、外容器内に内容器を挿入すると、内容器を外容器内の途中まで挿入した途中位置では、外容器と内容器に設けられた係合部は、互いに係合して外容器と内容器との相対回転を規制するから、外容器を把持した状態で内容器側ねじ部を肩カバーの内側ねじ部に簡単に螺合することができる。また、前記途中位置からさらに内容器を外容器内に押込んで押込み位置に配置すると、各係合部は互いに離間して外容器と内容器との相対回転を許すから、肩カバーと一緒に内容器を回転させることができ、外容器側ねじ部に肩カバーの外側ねじ部を簡単に螺合することができ、作業性をより一層向上することができる。
【００５３】
請求項２の発明によれば、外容器には、内容器を外容器内の途中まで挿入した途中位置とこの途中位置からさらに内容器を外容器内に押込んだ押込み位置とを与える弾性体を設け、前記外容器の内周側と内容器の外周側には、前記内容器が前記途中位置にあるときには両者の相対回転を規制し、前記内容器を押込んで前記押込み位置に配置したときには両者の相対回転を許す係合部をそれぞれ設ける構成としている。これにより、外容器内に内容器を挿入すると、弾性体は内容器を外容器内の途中まで挿入した途中位置に位置決めすることができ、取扱いを容易にすることができる。また、内容器の途中位置では、外容器と内容器に設けられた係合部は、互いに係合して外容器と内容器との相対回転を規制するから、外容器を把持した状態で内容器側ねじ部を肩カバーの内側ねじ部に簡単に螺合することができる。また、弾性体に抗して途中位置からさらに内容器を外容器内に押込んで押込み位置に配置すると、各係合部は互いに離間して外容器と内容器との相対回転を許すから、肩カバーと一緒に内容器を回転させることができ、外容器側ねじ部に肩カバーの外側ねじ部を簡単に螺合することができ、作業性をより一層向上することができる。
【図面の簡単な説明】
【図１】本発明の第１の実施の形態に適用される詰替え式容器を示す外観図である。
【図２】図１に示す詰替え式容器の縦断面図である。
【図３】内容器を途中位置に配置した状態の詰替え式容器を示す縦断面図である。
【図４】内容器を押込み位置に配置した状態の詰替え式容器を示す縦断面図である。
【図５】化粧カバー、底蓋、内容器、ディスペンサ付きキャップ体を分解して示す分解斜視図である。
【図６】本発明の第２の実施の形態による化粧カバー、底蓋、内容器、ノズル付きキャップ体を分解して示す分解斜視図である。
【図７】本発明の変形例による板ばね部を底蓋と一緒に示す外観斜視図である。
【符号の説明】
１，２１  詰替え式容器
２，２２  外容器
３，２３  化粧カバー
３Ａ，２３Ａ  開口部
３Ｂ  外容器側雄ねじ部
４，２６  係合凹溝（係合部）
５，３１  底蓋
５Ａ  球面状支持部（弾性体）
６，２５  内容器
６Ｄ，２５Ｄ  口部
６Ｅ，２５Ｅ  内容器側雄ねじ部
７  係合凸部（係合部）
８  ディスペンサ付きキャップ体（吐出具付きキャップ体）
９，２８  肩カバー
９Ｅ  外側雌ねじ部
９Ｆ  内側雌ねじ部
１０  ディスペンサ（吐出具）
２３Ｂ  外容器側雌ねじ部
２４  係合凸条（係合部）
２７  ノズル付きキャップ体（吐出具付きキャップ体）
２８Ｃ  外側雄ねじ部
２９  ノズル（吐出具）
２９Ｂ  吐出孔
２９Ｃ  蓋
３２  板ばね部（弾性体）
【図１】
0004261086.tif 000002
【図２】
0004261086.tif 000003
【図３】
0004261086.tif 000004
【図４】
0004261086.tif 000005
【図５】
0004261086.tif 000006
【図６】
0004261086.tif 000007
【図７】
0004261086.tif 000008